(57)【要約】【課題】複雑な設計変更を行うことなく、特性劣化を抑制することが可能な光モジュールを提供すること。【解決手段】光デバイスが収容されたパッケージと、当該パッケージ内部の気密性を確保するための封止部材とを備え、封止部材は、光デバイスからパッケージの外部へ進行する第一光が入射する第一面及びパッケージの外部から光デバイスへ向けて進行する第二光が入射する第二面を有すると共に、第一面と第二面との間で第一光及び第二光を透過可能に形成され、第一面は、第一光の光軸に垂直な平面に対して傾斜して配置されており、第二面は、第二光の光軸に垂直な平面に対して傾斜して配置されている。【選択図】図１
2014197055.tif 000002
【特許請求の範囲】
【請求項１】
光デバイスが収容されたパッケージと、
当該パッケージ内部の気密性を確保するための封止部材と
を備え、
前記封止部材は、前記光デバイスから前記パッケージの外部へ進行する第一光が入射する第一面及び前記パッケージの外部から前記光デバイスへ向けて進行する第二光が入射する第二面を有すると共に、前記第一面と前記第二面との間で前記第一光及び前記第二光を透過可能に形成され、
前記第一面は、前記第一光の光軸に垂直な平面に対して傾斜して配置されており、
前記第二面は、前記第二光の光軸に垂直な平面に対して傾斜して配置されている
光モジュール。
【請求項２】
前記第一面と前記第二面とが平行である
請求項１に記載の光モジュール。
【請求項３】
前記パッケージは、一方向に延びる形状であると共に、前記封止部材を収容する凹部を有し、
前記凹部は、該一方向に対して傾いた方向に形成されている
請求項１又は請求項２に記載の光モジュール。
【請求項４】
前記パッケージは、前記封止部材を前記凹部に挿入するための挿入孔を前記一方向の端部に有し、
前記挿入孔は、前記一方向に平行に形成されている
請求項３に記載の光モジュール。
【請求項５】
前記封止部材を介して前記光デバイスに光を出力する光ファイバーまたは前記光デバイスからの光が入力される光ファイバーと、
接合材を介して前記パッケージに接合され、前記パッケージと前記光ファイバーとを連結する連結部と
を更に備える
請求項１から請求項４のうちいずれか一項に記載の光モジュール。
【請求項６】
前記第一光の光路及び前記第二光の光路のうち少なくとも一方には、複数の光学部品が設けられている
請求項１から請求項５のうちいずれか一項に記載の光モジュール。
【発明の詳細な説明】
【技術分野】
【０００１】
本発明は、光モジュールに関する。
【背景技術】
【０００２】
光変調器や光送受信器などの光モジュールの構成として、例えば、光デバイスがパッケージに収容され、光透過可能な封止部材によって封止された構成が知られている。パッケージの内外には所定の光学部品が設けられており、光デバイスからパッケージの外部へ向けた光やパッケージの外部から光デバイスへ向けた光は、当該光学部品及び封止部材を透過して進行する。
【０００３】
一方、このような構成においては、光学部品や封止部材に入射した光がこれらの入射面によって反射される場合がある。この反射光が入射光の光路を逆向きに進行して光デバイスに戻されると、例えば光の共振現象が生じるなど、当該光デバイスが反射光の影響を受けてしまい、光モジュールの特性が劣化してしまう可能性がある。これに対して、例えば特許文献１には、光デバイスに光が戻されないように、封止部材に対して光デバイスを傾けた構成や、封止部材に対してパッケージ外部の光学部品を傾けた構成が記載されている。
【先行技術文献】
【特許文献】
【０００４】
【特許文献１】特許第２５３０７４４号公報
【発明の概要】
【発明が解決しようとする課題】
【０００５】
しかしながら、光デバイスを傾ける構成については、光デバイスの寸法やパッケージの内部構造によっては、当該光デバイスを所望の位置、角度に配置することが困難である。また、パッケージ外部の光学部品を傾ける構成については、光モジュールの外観が変更されてしまうため、例えば光モジュールを他の装置等に組み込む際の外観仕様を満足しない場合がある。これに対して、例えば外観仕様を満足させるためにパッケージ外部の光学部品を傾けることなく配置させようとする場合、パッケージ内部の光学部品の配置や形状を変更する必要があり、設計上の負荷が大きいという問題がある。
【０００６】
また、例えば図６に示すように、パッケージ４１０やレンズホルダー４６０の内部に複数の光学部品（レンズやフィルタなど）が、多段に複数構成される光学部品群（４７０、４８０）が構成される場合、全体の長さが長くなるため、パッケージ４１０内部の光学部品群４７０やレンズホルダー４６０を封止部材４３０に対して傾けて配置すると、その傾いた長さの分だけパッケージ４１０やレンズホルダー４６０のスペースを占有することになり光モジュール４００が大型化するという問題がある。
【０００７】
以上のような事情に鑑み、本発明は、複雑な設計変更を行うことなく、特性劣化を抑制することが可能な光モジュールを提供することを目的とする。
【課題を解決するための手段】
【０００８】
本発明に係る光モジュールは、光デバイスが収容されたパッケージと、当該パッケージ内部の気密性を確保するための封止部材とを備え、封止部材は、光デバイスからパッケージの外部へ進行する第一光が入射する第一面及びパッケージの外部から光デバイスへ向けて進行する第二光が入射する第二面を有すると共に、第一面と第二面との間で第一光及び第二光を透過可能に形成され、第一面は、第一光の光軸に垂直な平面に対して傾斜して配置されており、第二面は、第二光の光軸に垂直な平面に対して傾斜して配置されている。
【０００９】
また、第一面と第二面とが平行であってもよい。
【００１０】
また、パッケージが一方向に延びる形状であると共に、封止部材を収容する凹部を有し、凹部が該一方向に対して傾いた方向に形成されている構成であってもよい。
【００１１】
また、パッケージが封止部材を凹部に挿入するための挿入孔を該一方向の端部に有し、該挿入孔が該一方向に平行に形成されている構成であってもよい。
【００１２】
また、封止部材を介して光デバイスに光を出力する光ファイバー、または光デバイスからの光が入力される光ファイバーと、接合材を介してパッケージに接合され、パッケージと光ファイバーとを連結する連結部とを更に備える構成であってもよい。
【００１３】
また、第一光の光路及び第二光の光路のうち少なくとも一方には、複数の光学部品が設けられている構成であってもよい。
【発明の効果】
【００１４】
本発明によれば、パッケージとの間で光デバイスを封止する封止部材が、光デバイスからパッケージの外部へ進行する第一光が入射する第一面及びパッケージの外部から光デバイスへ向けて進行する第二光が入射する第二面を有し、第一面と第二面との間で光を透過可能に形成され、第一面が第一光の入射方向に垂直な平面に対して傾斜して配置されており、第二面が第二光の入射方向に垂直な平面に対して傾斜して配置されているため、第一面及び第二面に対して入射した第一光及び第二光の一部が反射される場合であっても、入射光の光路とは異なる方向に反射されることになる。これにより、反射光が入射光の光路を逆方向して戻されるのを回避することができるため、複雑な設計変更を行うことなく、光モジュールの特性劣化を抑制することが可能となる。また、パッケージの内部または外部の光学部品が多段に複数構成される場合でも光モジュールの大型化を抑制することができる。
【図面の簡単な説明】
【００１５】
【図１】本発明の第一実施形態に係る光モジュールの構成を示す断面図。
【図２】光モジュールの一部の構成を拡大して示す断面図。
【図３】本発明の第二実施形態に係る光モジュールの一部の構成を示す断面図。
【図４】本発明の第三実施形態に係る光モジュールの一部の構成を示す断面図。
【図５】変形例に係る光モジュールの一部の構成を示す断面図。
【図６】従来例に係る光モジュールの一部の構成を示す断面図。
【発明を実施するための形態】
【００１６】
以下、図面を参照して、本発明の実施の形態を説明する。  
［第一実施形態］  
図１は、本発明の第一実施形態に係る光モジュール１００の全体構成を示す断面図である。  
図１に示すように、光モジュール１００は、パッケージ１０と、当該パッケージ１０に収容された光デバイス２０と、パッケージ１０との間で光デバイス２０を封止する封止部材３０と、光デバイス２０との間で光学的に接続された光ファイバー４０と、を備えている。
【００１７】
パッケージ１０は、光デバイス２０を密閉するものであり、例えば切削加工性の高いステンレス鋼（ＳＵＳ３０３など）などの金属材料を用いて一方向に延伸するように形成されている。パッケージ１０は、光デバイス２０を収容する収容室１１と、封止部材３０が配置される凹部１２と、収容室１１から凹部１２へと貫通する貫通孔１３とを有しており、凹部１２はパッケージ１０を形成する面に形成されている。
【００１８】
収容室１１は、パッケージ１０の内部に配置されている。収容室１１は、封止部材３０によって気密性が確保された状態となっている。収容室１１には、光デバイス２０が配置される。
【００１９】
光デバイス２０としては、例えばＬＮ（ＬｉＮｂＯ３、ニオブ酸リチウム）チップと回路基板とから構成される光制御素子などが挙げられる。このような光制御素子を搭載した光モジュール１００は、例えば長距離光ファイバー通信や特殊光計測などの分野において光変調器や光スイッチとして用いることができる。また光デバイス２０はレーザーダイオードやフォトディテクタの光半導体チップなどの他の光デバイスが搭載された構成であってもよいし、パッケージ１０に対して光が同軸で双方向に入出力するＷＤＭモジュール（Wavelength Division Multiplexer）であってもよい。
【００２０】
封止部材３０は、貫通孔１３を塞ぐようにパッケージ１０の凹部１２に配置されており、例えばＡｕＳｎなどの接合材３１を用いてパッケージ１０に接着されている。封止部材３０及び接合材３１により、収容室１１が封止（密閉）された状態となっている。封止部材３０としては、例えばサファイアなどによって形成された光学ガラスを用いることができる。
【００２１】
なお、パッケージ１０の構成材料（例、ＳＵＳ３０３：線膨張係数１７．３×１０−６（／℃））と、封止部材３０の構成材料（例、サファイア：線膨張係数７．０〜７．７×１０−６（／℃））との間の線膨張係数の差により、例えば温度変化時などに封止部材３０の剥離や割れ等の不具合が生じる可能性がある。このような不具合が想定される場合には、当該不具合が生じないように、例えばパッケージ１０の構成材料と封止部材３０の構成材料との間の線膨張係数を有する介挿部材（封止部材３０を保持するホルダーなど）を介してパッケージ１０と封止部材３０との間を接合させてもよい。
【００２２】
封止部材３０は、光デバイス２０からパッケージ１０の外部へ進行する光（第一光）が入射する第一面３０ａと、パッケージ１０の外部から光デバイス２０へ向けて進行する光（第二光）が入射する第二面３０ｂとを有している。封止部材３０は、第一面３０ａと第二面３０ｂとの間で光を透過可能に形成されている。したがって、光デバイス２０から第一面３０ａに入射した光は、封止部材３０を透過して、第二面３０ｂからパッケージ１０の外部へ射出される。また、パッケージ１０の外部から第二面３０ｂに入射した光は、封止部材３０を透過して、第一面３０ａからパッケージ１０へ向けて射出される。
【００２３】
光ファイバー４０は、光学レンズホルダー（連結部）６０を介してパッケージ１０に連結されている。光学レンズホルダー６０には、例えば光学レンズ６１などの光学部品が保持されている。光学レンズホルダー６０は、例えばＡｕＳｎなどの接合材６２を介してパッケージ１０に接合されている。光ファイバー４０は、光学レンズ６１及び封止部材３０を介して、光デバイス２０に光学的に接続されている。
【００２４】
光モジュール１００では、光ファイバー４０が、パッケージ１０の延伸方向と平行な軸である軸ＡＸ１に沿って配置された構成を有している。このため、光学レンズホルダー６０や光ファイバー４０はパッケージ１０に対して傾かず、パッケージ１０からはみ出すことがないため、光モジュール１００を小型化することができ、また光モジュール１００を外部機器（光送信機、光受信機など）に組み込む場合、当該外部機器の外観仕様を満足しやすい構成となる。
【００２５】
図２は、光モジュール１００の一部（パッケージ１０の凹部１２）の構成を拡大して示す断面図である。  
図２に示すように、凹部１２は、パッケージ１０の端面１０ａから収容室１１側へ向けて形成されており、円柱状などの形状に刳り貫かれた形状を有している。凹部１２は、凹部１２の中心軸ＡＸ２がパッケージ１０の中心軸ＡＸ１に対して例えば２°〜５°程度傾くように形成されている。中心軸ＡＸ１に対する中心軸ＡＸ２の傾き角度について、上記範囲は一例であり当該範囲に限られることはない。
【００２６】
凹部１２の底部１２ａは、平坦に形成されており、中心軸ＡＸ２に対して垂直に配置されている。したがって、底部１２ａは、パッケージ１０の中心軸ＡＸ１に垂直な面に対して傾いた状態となっている。
【００２７】
封止部材３０の第一面３０ａは、接合材３１を介して凹部１２の底部１２ａに接合されており、底部１２ａと平行に配置されている。また、当該第一面３０ａと平行に配置された第二面３０ｂについても、底部１２ａと平行に配置されている。このように、第一面３０ａと第二面３０ｂとが平行に配置されているため、平行平板を用いて容易に封止部材３０を構成することができる。
【００２８】
また、光デバイス２０からパッケージ１０の外部へ進行する第一光の光軸Ｌ１、及び、パッケージ１０の外部から光デバイス２０へ向けて進行する第二光の光軸Ｌ２は、それぞれ、パッケージ１０の中心軸ＡＸ１と平行となっている。
【００２９】
したがって、第一面３０ａは、第一光の光軸Ｌ１に垂直な平面に対して傾いた状態で配置されている。同様に、第二面３０ｂは、第二光の光軸Ｌ２に垂直な平面に対して傾いた状態で配置されている。
【００３０】
次に、上記のように構成された光モジュール１００の製造方法を説明する。  
まず、収容室１１が形成された状態のパッケージ１０の端面１０ａを切削加工して凹部１２を形成する。この切削加工では、パッケージ１０の中心軸ＡＸ１に対して、例えば２°〜５°程度傾いた方向に端面１０ａを掘り込むようにする。一定距離を掘り込んだ後、凹部１２の中心軸ＡＸ２に対して垂直な面を、当該凹部１２の先端部分（底部）に形成する。
【００３１】
その後、当該中心軸ＡＸ２に垂直な面のうち中央付近の所定領域（例、凹部１２の径よりも小さい円形領域）を、パッケージ１０の中心軸ＡＸ１に平行な方向に掘り込むことにより、凹部１２と収容室１１とを連通する貫通孔１３を形成する。
【００３２】
次に、貫通孔１３の径よりも大きい径を有する円形領域を切り抜いたシート状のＡｕＳｎ膜を形成し、当該ＡｕＳｎ膜を凹部１２の底部１２ａに押し当てる。その後、封止部材３０を凹部１２に挿入し、第一面３０ａをＡｕＳｎ膜に押し当てる。なお、封止部材３０については、封止部材３０をそのまま用いてもよいし、封止部材３０を金属などで形成されたリング状のホルダーに固定してハンドリングを容易にした構成にして用いてもよい。
【００３３】
この状態で、リフロー炉などの高温炉にパッケージ１０ごと投入し、ＡｕＳｎを溶解して固化させる。この工程により、ＡｕＳｎ膜が接合材３１となって封止部材３０を底部１２ａに固定し、収容室１１が封止部材３０及び接合材３１によって封止される。また、封止部材３０の第一面３０ａ及び第二面３０ｂは、パッケージ１０の中心軸ＡＸ１に垂直な平面に対して例えば２°〜５°程度傾いた状態で配置されることになる。
【００３４】
このように、パッケージ１０の中心軸ＡＸ１に対して傾いた方向に凹部１２を掘り込み、底部を凹部１２の中心軸ＡＸ２に垂直に加工することにより、特段困難な手法を用いることなく、凹部１２の内部にパッケージ１０の中心軸ＡＸ１の法線方向に対して傾いた面、すなわち、封止部材３０の第一面３０ａを固定するための底部１２ａ、を形成することができる。また、底部１２ａを形成した状態からＡｕＳｎ膜を用いて封止部材３０を底部１２ａに固定するまでの工程においても、特段困難な手法を用いる必要が無い。
【００３５】
このように形成されたパッケージ１０の内部あるいは外部に光デバイス２０や光学レンズ６１などの光学部品を配置させると共に、光ファイバー４０などを取り付ける。
【００３６】
上記のように構成された光モジュール１００において、例えば第一光が第一面３０ａに入射される場合、第一面３０ａの法線方向に対して傾いて入射される。このため、第一光の一部が第一面３０ａにおいて反射される場合には、反射光Ｒ１は第一光の光軸Ｌ１とは異なる方向に反射される。同様に、第二光が第二面３０ｂに入射される場合、第二面３０ｂの法線方向に対して傾いて入射される。このため、第二光の一部が第二面３０ｂにおいて反射される場合には、反射光Ｒ２は第二光の光軸Ｌ２とは異なる方向に反射される。
【００３７】
このように、本実施形態においては、第一面３０ａ及び第二面３０ｂに対して入射した第一光及び第二光の一部が反射される場合であっても、反射光Ｒ１、Ｒ２は入射光の光路とは異なる方向に反射されることになる。これにより、反射光Ｒ１、Ｒ２が入射光の光路Ｌ１、Ｌ２を逆方向して戻されるのを回避することができるため、複雑な設計変更を行うことなく、光モジュール１００の特性劣化を抑制することが可能となる。
【００３８】
また、光の出力が１０Ｊ／ｃｍ２以上と大きい場合や複数波長の光が第一面３０ａ及び第二面３０ｂに入射する場合など、第一面３０ａ及び第二面３０ｂに反射防止膜を形成することが困難な場合であっても、封止部材３０に反射防止膜を形成することなく光モジュール１００の特性低下を抑制することができる。なお、第一面３０ａ及び第二面３０ｂに反射防止膜を形成することが可能な場合には、例えば第一面３０ａ及び第二面３０ｂのうち少なくとも一方の面に、一層又は複数層の反射防止膜が形成された構成であってもよい。これにより、光モジュール１００の特性劣化をより確実に抑制することができる。
【００３９】
また、本実施形態によれば、封止部材３０を凹部１２に収容する簡単な構成で、第一面３０ａ及び第二面３０ｂを第一光の光軸Ｌ１及び第二光の光軸Ｌ２に対して傾けた構成とすることができる。
【００４０】
［第二実施形態］  
次に、本発明の第二実施形態を説明する。  
図３は、本発明の第二実施形態に係る光モジュール２００の全体構成を示す断面図である。  
図３に示すように、本実施形態では、光ファイバー４０をパッケージ１０に連結する光学レンズホルダー２６０の構成が第一実施形態とは異なっている。具体的には、光学レンズホルダー２６０は、パッケージ１０に接合された第一部材２６０Ａと、光学レンズ６１を保持する第二部材２６０Ｂとを有しており、第一部材２６０Ａと第二部材２６０Ｂとが接合された構成となっている。このように光学レンズホルダー２６０を複数部材に分けることにより、各部材（第一部材２６０Ａ及び第二部材２６０Ｂ）の接合手段を個別に設定することができる。
【００４１】
例えば、第一実施形態では、パッケージ１０に接続させるホルダーが接合材６２を用いて固定されているが、他の固定方法として、レーザー（ＹＡＧレーザー）溶接などが挙げられる。レーザー溶接によってホルダーを固定することにより、光学レンズ６１の光軸合わせを容易に行うことができる。以下、本実施形態では、レーザー溶接によってパッケージ１０に光学レンズホルダー２６０を接合する場合を例に挙げて説明する。
【００４２】
レーザー溶接を行う場合、レーザーのエネルギーによってパッケージ１０又は光学レンズホルダー２６０に溶接歪みが発生する場合がある。このため、例えばレーザーによって接合する部品の構成材料としては、ＳＵＳ３０３よりも溶接歪みの少ないＳＵＳ３０４を用いることが好ましい。
【００４３】
一方、本実施形態では、パッケージ１０に凹部１２を形成する必要があるため、切削加工を行いやすいＳＵＳ３０３がパッケージ１０の材料として用いられている。この状態でＳＵＳ３０４を用いた光学レンズホルダー２６０とＳＵＳ３０３を用いたパッケージ１０とをレーザー溶接すると、パッケージ１０の端面１０ａ側に溶接歪みが生じてしまう。
【００４４】
これに対して、本実施形態では、第一部材２６０Ａ及び第二部材２６０Ｂの接合手段を個別に設定することができるため、例えば第一部材２６０Ａ及び第二部材２６０Ｂの構成材料としてＳＵＳ３０４を用い、パッケージ１０の構成材料としてＳＵＳ３０３を用いた場合でも、パッケージ１０と第一部材２６０Ａとの接合部を第一実施形態と同様に接合材３１による接合とし、第一部材２６０Ａと第二部材２６０Ｂとの接合部２６２をレーザー溶接による接合とすることができる。これにより、パッケージ１０における溶接歪みの発生を回避することができると共に、光学レンズ６１の光軸合わせを容易に行うことができる。
【００４５】
［第三実施形態］  
次に、本発明の第三実施形態を説明する。  
図４は、本発明の第三実施形態に係る光モジュール３００の全体構成を示す断面図である。  
図４に示すように、本実施形態では、封止部材３０を収容する掘り込み部３１３がパッケージ１０の延伸方向に沿った方向に形成されている。すなわち、掘り込み部３１３の中心軸ＡＸ３は、パッケージ１０の中心軸ＡＸ１に平行である。
【００４６】
当該掘り込み部３１３には、封止部材３０を取り付ける凹部３１２が形成されている。凹部３１２は、パッケージ１０の延伸方向に対して傾いた方向へ向けて形成されている。具体的には、凹部３１２の中心軸ＡＸ２は、パッケージ１０の中心軸ＡＸ１及び掘り込み部３１３の中心軸ＡＸ３に対して例えば２°〜５°程度傾いている。凹部３１２の径Ｄ１は、掘り込み部３１３の径Ｄ２よりも小さく、かつ、封止部材３０を挿入可能な寸法に設定されている。
【００４７】
凹部３１２の底部３１２ｂは、例えば平坦に形成されており、凹部３１２の中心軸ＡＸ２に対して垂直に配置されている。封止部材３０は、接合材３１を介して当該底部３１２ｂに保持されている。また、封止部材３０の第一面３０ａ及び第二面３０ｂは、底部３１２ｂに平行に配置されている。このため、第一実施形態と同様に、封止部材３０
の第一面３０ａは、パッケージ１０の内部から封止部材３０へ向けて進行する第一光の光軸（不図示）に垂直な平面に対して傾いた状態で配置されている。同様に、封止部材３０の第二面３０ｂは、パッケージ１０の外部から封止部材３０へ向けて進行する第二光の光軸（不図示）に垂直な平面に対して傾いた状態で配置されている。
【００４８】
パッケージ１０の端面１０ａには、光学レンズホルダー３６０が接続されている。光学レンズホルダー３６０は、接合材３６２を介してパッケージ１０に接合された第一部材３６０Ａと、光学レンズ６１を保持する第二部材３６０Ｂとを有している。第一部材３６０Ａには、掘り込み部３１３に挿入される段部３６３が形成されている。本実施形態では、掘り込み部３１３が中心軸ＡＸ１に平行に形成されているため、段部３６３の形状は掘り込み部３１３の内周面の形状に沿うように、中心軸ＡＸ１に平行に配置されるように円筒状に形成されている。段部３６３の外周面と掘り込み部３１３の内周面との間には、接合材３６２が介挿されている。本実施形態では、掘り込み部３１３の内周面及び段部３６３の外周面が共に円筒面であるため、接合材３６２は掘り込み部３１３の内周面と段部３６３の外周面との間において周方向の一周に亘って均一な厚さで配置されることになる。
【００４９】
これにより、図３のように掘り込み部３１３が傾いた場合と比べて掘り込み部３１３の内周面と段部３６３の外周面との接合強度が増加するため、外部からの応力や、温度変化による接合部の変形を抑えることができ、光モジュールの信頼性が向上する。
【００５０】
また、加工精度及び取り付け精度の範囲内で、掘り込み部３１３の内周面と段部３６３の外周面とをほぼ等しい寸法に設計することにより、パッケージ１０と光学レンズホルダー３６０との間を嵌合により簡便に接合することもできる。
【００５１】
また、上記実施形態に比べて、段部３６３の差込量（中心軸ＡＸ１の軸方向の寸法）を大きくすることができる。このため、例えば当該差込量を例えば０．５ｍｍ以上に設定することができる。この場合、光学レンズホルダー３６０の延伸方向に対して垂直な方向からの外力に対して強い構成となるため、振動あるいは衝撃に対して耐性の強い、信頼性の高い光モジュールを提供することができる。
【００５２】
本発明の技術範囲は上記実施形態に限定されるものではなく、本発明の趣旨を逸脱しない範囲で適宜変更を加えることができる。  
例えば上記実施形態の構成に加えて、図５に示すように、パッケージ１０のうち封止部材３０の内側及び外側にそれぞれレンズ、フィルタ、波長板などの複数の光学部品７０、８０を配置させてもよい。この構成においては、封止部材３０が光軸に対して傾いているため、光学部品７０、８０において封止部材３０での反射光を原因とした光の共振現象が生じるのを防ぐことができる。
【００５３】
また、上記構成においては、光学部品７０、８０が光の進行方向に並ぶように複数配置されると、当該方向における筐体の寸法が大きく（長く）なる。従来では、封止部材３０の第一面３０ａ及び第二面３０ｂが光の進行方向に対して垂直であったため、例えば封止部材３０の第一面３０ａ及び第二面３０ｂで反射された光が光路を戻るのを防ごうとした場合、第一面３０ａ及び第二面３０ｂの法線方向に対して光学部品７０、８０の光軸を傾ける必要があった。このため、筐体延伸方向に直交する方向についての筐体の寸法が大きくなってしまい、光モジュールを他の装置等に組み込む際の外観仕様を満足しない場合があった。これに対して、図５に示す構成では、光学部品７０、８０の光軸を傾ける必要が無いため、その分スペースを省略することができる。これにより、外観仕様の要請に対応しやすい光モジュール１００が得られる。
【符号の説明】
【００５４】
Ｌ１、Ｌ２…光軸  Ｒ１、Ｒ２…反射光  ＡＸ１、ＡＸ２、ＡＸ３…中心軸  １０…パッケージ  １１…収容室  １２…凹部  １２ａ…底部  １３…連通部  ２０…光デバイス  ３０…封止部材  ３０ａ…第一面  ３０ｂ…第二面  ４０…光ファイバー  ５０…光ファイバー  ６０…光学レンズホルダー  ６１…光学レンズ  ７０．８０…光学部品  １００、２００、３００…光モジュール
【図１】
2014197055.tif 000003
【図２】
2014197055.tif 000004
【図３】
2014197055.tif 000005
【図４】
2014197055.tif 000006
【図５】
2014197055.tif 000007
【図６】
2014197055.tif 000008